(57)【要約】  本発明は、複数の端子部２５Ａ〜２８Ａを有する分析用具２を装着して使用し、かつ複数の端子部２５Ａ〜２８Ａに接触させるための複数の板バネ状端子４２，４３と、分析の終了後に分析用具２を廃棄するための廃棄機構と、を備えた分析装置に関する。複数の板バネ状端子４２，４３における複数の端子部２５Ａ〜２８Ａに接触させるための接触部４６，４７を、平面視において、分析用具２の廃棄方向Ｄ１に直交する方向に対して非平行に配置した。好ましくは、複数の板バネ状端子における接触部４６，４７は、廃棄方向Ｄ１に沿って延びる分析用具２の中心線Ｌ１に対して、対称または略対称な位置関係に配置される。
2008126682.tif 000002
【特許請求の範囲】
【請求項１】
複数の端子部を有する分析用具を装着して使用し、かつ、
上記複数の端子部に接触させるための複数の板バネ状端子と、分析の終了後に上記分析用具を廃棄するための廃棄機構と、を備えた分析装置であって、
上記複数の板バネ状端子は、上記複数の端子部に接触させるための接触部が、平面視において、上記分析用具の廃棄方向に直交する方向に対して非平行となるように配置されている、分析装置。
【請求項２】
上記複数の板バネ状端子における接触部は、上記廃棄方向に沿って延びる上記分析用具の中心線に対して、対称または略対称な位置関係に配置されている、請求項１に記載の分析装置。
【請求項３】
上記複数の板バネ状端子における接触部は、上記廃棄方向に傾斜した方向に並んだ直線状または略直線状に配置されている、請求項１に記載の分析装置。
【請求項４】
上記廃棄機構は、上記分析用具に対して上記廃棄方向に向けた負荷を作用させるために上記分析用具に接触させられる１つまたは複数の作用部を有しており、
上記１つまたは複数の作用部は、上記廃棄方向視における上記分析用具の厚み方向に延びる第２の中心線を基準とし、上記分析用具に対して対称または略対称に負荷を作用させるように配置されている、請求項１に記載の分析装置。
【請求項５】
上記１つの作用部は、上記第２の中心線上に配置されている、請求項４に記載の分析装置。
【請求項６】
上記複数の作用部は、上記第２の中心線に対して対称または略対称な位置関係に配置されている、請求項４に記載に分析装置。
【発明の詳細な説明】
【技術分野】
【０００１】
本発明は、分析用具を装着して使用し、かつ分析の終了後に分析用具を廃棄するための廃棄機構を備えた分析装置に関する。
【背景技術】
【０００２】
従来より、血糖値を測定する方法としては、分析用具を使用する方法がある。その一例として、持ち運び可能な携帯型の血糖値測定装置に対してユーザが分析用具を装着し、その分析用具に対して血液を点着することにより、血糖値測定装置において自動的に血糖値を測定する方法がある【０００３】
血糖値を測定するための原理としては、たとえば電気化学的手法を利用するものがある。血糖値測定において電気化学的手法を利用する場合、分析用具は電圧を印加するための電極を備えたものとして構成される。その一方で、血糖値測定装置は分析用具の電極に電圧を印加するとともに、そのときの応答電流を測定できるように構成される。【０００４】
血糖値測定装置としては、血糖値測定装置に装着した分析用具に触れることなく分析用具を取り外すことができるように、たとえば図１３に示したように分析用具を廃棄するための機構を備えたものも提案されている（たとえば特許文献１，２参照）【０００５】
同図に示した血糖値測定装置９は、分析用具９０を用いた電気化学的手法を利用して試料の分析を行なうように構成されたものであり、コネクタ部９１および操作ノブ９２を備えている。【０００６】
図１３および図１４に示したように、コネクタ部９１は、分析用具９０を保持するためのものであるとともに、分析用具９０の電極９３に接触させるための複数の端子９４を備えたものである。複数の端子９４は、分析用具９０の電極９３に電圧を印加するとともに、そのときの応答電流を測定するためのものである。複数の端子９４は、先端部９５が板バネ状に形成されているとともに、接点９６において分析用具９０の電極９３に接触する。これらの端子９４は、先端部９５（接点９６）が廃棄方向Ｄ１に対して直交する方向に直線状に並ぶように配置されている。【０００７】
操作ノブ９２は、コネクタ部９１に装着された分析用具９０を廃棄するために利用されるものであり、Ｄ１，Ｄ２方向にスライド可能とされている。この操作ノブ９２は、分析用具９０を押圧して移動させるための作用部９８を有している。【０００８】
血糖値測定装置９では、挿入口９７を介して分析用具９０を装着することにより、コネクタ部９１の端子９４が分析用具９０の電極９３に接触する。このとき、複数の端子９４の先端部９５は、板バネとして形成されているために、図１５Ａおよび図１５Ｂに示したように分析用具９０との接点９６が上方に変位させられる。これにより、分析用具９０の電極９３は、端子９４の先端部９５によって押圧され、端子９４の先端部９５（接点９６）と分析用具９０の電極９３とが確実に接触させられる。この状態においては、コネクタ部９１によって分析用具９０の電極９３に対する電圧の印加、および応答電流の測定が可能である。そして、血糖値測定装置９では、先の応答電流に基づいて分析用具９０に供給された血液のグルコース濃度（血糖値）を測定することができる。【０００９】
一方、血糖値の測定が終了した場合には、図１３に示したように、操作ノブ９２をＤ１方向に移動させることにより、血糖値測定装置９から分析用具９０を廃棄することができる。すなわち、操作ノブ９２をＤ１方向に移動させることにより、操作ノブ９２の作用部９８が分析用具９０の端面９９を押圧するため、操作ノブ９２のＤ１方向への移動により、分析用具９０がＤ１方向に押し出される。【００１０】
しかしながら、図１５Ｂに示したように、複数の端子９４の先端部９５（接点９６）は、分析用具９０を装着した状態においては、自然状態よりも上方側に変位させられており、下方に向けて付勢されている。そのため、分析用具９０をＤ１方向に移動させる過程においては、図１５Ｃに示したように、複数の端子９４の先端部９５（接点９６）は、分析用具９０から離れるときに下方に向けて移動し、自然状態に復帰する。その結果、分析用具９０には、複数の端子９４の先端部９５（接点９６）が離れるときに端子９４の先端部９５の弾性復元力が分析用具９０をＤ１方向に移動させる力として作用する。そして、図１４に示したように、複数の端子９４の接点９６は、廃棄方向Ｄ１に直交する方向に並んで配置されているために、複数の端子９４からは、分析用具９０に対して略同時に負荷が作用する。その結果、分析用具９０に対しては、複数の端子９４から廃棄方向Ｄ１に対して大きな負荷が作用するため、分析用具９０が挿入口９７（図１３参照）から勢い良く飛び出してしまうことがある。【００１１】
また、コネクタ部９１において分析用具９０を適切に保持させるためには、複数の端子９４の先端部９５から分析用具９０に作用する付勢力を大きくしておく必要がある。その結果、分析用具９０を廃棄する際には、分析用具９０に対しては、操作ノブ９２の作用部９８から比較的に大きな負荷をＤ１方向に向けて作用させる必要がある。そのため、分析用具９０に対しては、複数の端子９４の先端部９５（接点９６）が離れるときの先端部９５の弾性復元力に加えて、操作ノブ９２からの比較的大きな負荷が加わるため、このことが挿入口９７（図１３参照）から分析用具９０が勢い良く飛び出す頻度、飛び出し距離を大きくしてしまう原因となる。【００１２】
このようにして分析用具９０か勢い良く飛び出した場合には、目的通りに分析用具９０を廃棄できないことがある。この場合、分析用具９０が落下した場所に分析用具９０の血液が飛び散るために周りの者が感染し、あるいは分析用具９０を拾い上げて廃棄する際に誤って分析用具９０の血液に触れてしまって感染してしまう可能性がある。【００１３】
【特許文献１】特開２００３−１１４２１３号公報
【特許文献２】特開２００１−３３４１８号公報
【発明の開示】
【発明が解決しようとする課題】
【００１４】
本発明は、廃棄機構を備えた分析装置において、廃棄機構を利用して分析用具を廃棄する際に、分析装置の端子から分析用具に作用する負荷を小さくし、廃棄時に分析用具が必要以上に飛び過ぎてしまうことを抑制することを課題としている。
【課題を解決するための手段】
【００１５】
本発明では、複数の端子部を有する分析用具を装着して使用するものであり、かつ、複数の端子部に接触させるための複数の板バネ状端子と、分析の終了後に上記分析用具を廃棄するための廃棄機構と、を備えた分析装置であって、複数の板バネ状端子は、複数の端子部に接触させるための接触部が、平面視において、分析用具の廃棄方向に直交する方向に対して非平行となるように配置されている、分析装置が提供される。【００１６】
複数の板バネ状端子における接触部は、たとえば廃棄方向に沿って延びる分析用具の中心線に対して、対称または略対称な位置関係に配置されている。複数の板バネ状端子における接触部は、廃棄方向に傾斜した方向に並んだ直線状または略直線状に配置してもよい。【００１７】
廃棄機構は、分析用具に対して廃棄方向に向けた負荷を作用させるために分析用具に接触させられる１つまたは複数の作用部を有している。１つまたは複数の作用部は、廃棄方向視における分析用具の厚み方向に延びる第２の中心線を基準とし、対称または略対称に分析用具に対して負荷を作用させるように配置するのが好ましい。【００１８】
１つの作用部は、たとえば第２の中心線上に配置され、複数の作用部は、たとえば第２の中心線に対して対称または略対称に配置される。
【図面の簡単な説明】
【００１９】
【図１】本発明に係る分析装置の一例を示す全体斜視図である。
【図２】図１に示した分析装置を裏面側から見た全体斜視図である。
【図３】図１に示した分析装置の要部を示す断面図である。
【図４】図１に示した分析装置に使用するバイオセンサの一例を示す全体斜視図である。
【図５】図１に示した分析装置におけるコネクタ部周りの分解斜視図である。
【図６】図６Ａはコネクタ部における複数の端子の配置をバイオセンサとの関係で示した平面図であり、図６Ｂは複数の端子における接点とバイオセンサの電極との関係を模式的に示した平面図である。
【図７】図６ＡのVII−VII線に沿った断面図である。
【図８】図８Ａはバイオセンサを廃棄する過程における複数の端子における接点とバイオセンサの電極との関係を模式的に示した平面図であり、図８Ｂはバイオセンサを廃棄する過程における複数の端子とバイオセンサの電極との関係を示す要部断面図である。
【図９】図９Ａはバイオセンサを廃棄する過程における複数の端子における接点とバイオセンサの電極との関係を模式的に示した平面図であり、図９Ｂはバイオセンサを廃棄する過程における複数の端子とバイオセンサの電極との関係を示す要部断面図である。
【図１０】図１０Ａないし図１０Ｅは、複数の端子における接点の配置の他の例を、バイオセンサの電極との関係として模式的に示した平面図である。
【図１１】図１１Ａないし図１１Ｃは、複数の端子における接点の配置の他の例を、バイオセンサの電極との関係として模式的に示した平面図である。
【図１２】廃棄機構におけるスライドノブの作用部の他の例を説明するための図７に相当する断面図である。
【図１３】従来の分析装置における廃棄機構を説明するための要部断面図である。
【図１４】図１３に示した分析装置におけるコネクタ部の複数の端子の配置を、バイオセンサの電極との関係で示した平面図である。
【図１５】図１５Ａないし図１５Ｃは、図１３に示した分析装置に対するバイオセンサの着脱過程おける複数の端子の接点とバイオセンサの端子部（電極）との関係を示す要部断面図である。
【符号の説明】
【００２０】
１  血糖値測定装置（分析装置）
２  バイオセンサ（分析用具）
２５Ａ〜２８Ａ  （電極の）端子部
４２，４３，６０〜６３，７０〜７４  端子（板バネ状端子）
４６，４７，６４〜６７，７５〜７９  （端子の）接点（接触部）
５  廃棄機構
５２Ａ，８１，８３，８５  （廃棄機構におけるスライダブロックの）作用部
Ｄ１  廃棄方向
Ｌ１  中心線
Ｌ２  （第２の）中心線
【発明を実施するための最良の形態】
【００２１】
以下、本発明に係る分析装置の一例としての血糖値測定装置について、図面を参照しつつ説明する。【００２２】
図１および図２に示した血糖値測定装置１は、バイオセンサ２を用いて電気化学的手法により試料の分析を行うためのものであり、持ち運びが可能な携帯型として構成されている。この血糖値測定装置１は、図３に示したように筐体３、コネクタ部４および廃棄機構５を備えている。【００２３】
図４に示したように、血糖値測定装置１に使用するバイオセンサ２は、使い捨てとして構成されており、全体として平板状の形態に形成されている。このバイオセンサ２は、略長矩形状の基板２０に対して、スペーサ２１を介してカバー２２を接合した構成を有しており、各要素２０〜２２により、基板２０の長手方向に延びるキャピラリ２３が規定されている。【００２４】
キャピラリ２３は、毛細管現象を利用して、後述するカバー２２の排気口２２Ａに向けて血液を移動させるとともに、導入された血液を保持するためのものである。キャピラリ２３の内部には、試薬層２４が設けられている。試薬層２４は、たとえば電子伝達物質（[Ｒｕ(ＮＨ3)6]Ｃｌ3やＫ3[Ｆｅ(ＣＮ)6]などの錯体）および酸化還元酵素（グルコースオキシダーゼ（ＧＯＤ）やグルコースデヒドロゲナーゼ（ＧＤＨ））を含んだものとされている。【００２５】
スペーサ２１は、基板２０とカバー２２との間の距離、すなわちキャピラリ２３の高さ寸法を規定するためのものであり、たとえば両面テープにより構成されている。【００２６】
カバー２２は、キャピラリ２３の内部の気体を外部に排気するための排気口２２Ａを有している。このカバー２２は、たとえばビニロンや高結晶化ＰＶＡなどの濡れ性が高い熱可塑性樹脂により形成されている。【００２７】
基板２０は、絶縁樹脂材料によりカバー２２よりも大きな形状に形成されている。この基板２０の上面２０Ａには、複数の電極２５，２６，２７，２８（図面上は４つ）が形成されている。【００２８】
複数の電極２５〜２８は、少なくともキャピラリ２３に導入された血液に電圧を印加するための作用極および対極を含んでいる。複数の電極２５〜２８はさらに、キャピラリ２３の内部に血液が供給されたことを検知するための検知用電極、バイオセンサ２に関する情報（たとえばバイオセンサの製造日、製造工場、ロットＮｏ．、およびセンサ感度（選択すべき検量線の種類）など）を出力するための情報出力用電極、あるいは静電気対策のための静電気対策用電極を含んでいる。複数の電極２５〜２８は、検知用電極、情報出力用電極および静電気対策用電極に加えて、あるいはそれらの電極の少なくとも１つに代えて、その他の機能を有する電極を含んでいてもよい。【００２９】
もちろん、複数の電極の数は、４つに限らず目的に応じて設計変更可能であり、また複数の電極の形態も種々に設計変更可能である。【００３０】
図１ないし図３に示したように、筐体３は、血糖値測定装置１の外観形状を規定するとともに、コネクタ部４および廃棄機構５をはじめとする各種の要素を収容するためのものである。筐体３は、センサ挿入口３０を有しているとともに、ケーシング３１，３２によって中空に形成されている。【００３１】
ケーシング３１には、複数の操作ボタン３３および表示パネル３４が設けられている。複数の操作ボタン３３は、分析動作などを行わせるための信号を生成させ、あるいは各種の設定（分析条件の設定や被験者のＩＤ入力など）を行うためのものである。表示パネル３４は、分析結果やエラーである旨を表示するとともに、設定時における操作手順や操作状況などを表示するためのものである。一方、ケーシング３２には、後述する廃棄機構５の操作レバー５０が設けられている。【００３２】
図３および図５に示したように、コネクタ部４は、バイオセンサ２が装着されるものであり、ケース４０、端子台４１、および複数の端子４２，４３（図面上は４つ）を有している。【００３３】
ケース４０は、複数の端子４２，４３および端子台４１を保持するものであるとともに、バイオセンサ２を保持するためのものである。このケース４０は、端子台４１を保持するための中空部４０Ａおよびバイオセンサ２を出し入れするための開口部４０Ｂを有している。【００３４】
端子台４１は、複数の端子４２，４３を固定するためのものである。この端子台４１は、端子４２，４３を収容するための複数のスリット４１Ａ、および端子４２，４３の先端部４４，４５を突出させるための貫通孔４１Ｂを有している。【００３５】
複数の端子４２，４３は、コネクタ部４にバイオセンサ２を装着したときに、バイオセンサ２の複数の電極２５〜２８の端子部２５Ａ〜２８Ａ（図６Ａおよび図６Ｂ参照）に接触し、複数の電極２５〜２８に電圧を印加するとともに、そのときの電流値（抵抗値）を測定するためのものである。各端子４２，４３は、先端部４４，４５が板バネとして構成されており、コネクタ部４にバイオセンサ２を装着したときに、先端部４４，４５の接点４６，４７においてバイオセンサ２に押圧力を作用させ、コネクタ部４においてバイオセンサ２を適切に保持させる役割をも果している。図６Ａおよび図６Ｂに示したように、複数の端子４２における先端部４４（接点４６）と、複数の端子４３における先端部４５（接点４７）とは、廃棄方向Ｄ１に沿って延びるバイオセンサ２の中心線Ｌ１に対して対称に配置されている。また、複数の端子４２における先端部４４（接点４６）および先端部４５（接点４７）のそれぞれは、廃棄方向Ｄ１に対して非平行な方向に並んだ直線状に配置されている。【００３６】
図３および図５に示したように、廃棄機構５は、血糖値の測定終了後のバイオセンサ２を血糖値測定装置１から廃棄するためのものである。この廃棄機構５は、操作レバー５０、連結プレート５１、スライドブロック５２およびコイルバネ５３を備えている。【００３７】
操作レバー５０は、スライドブロック５２を移動させるために操作される部分であり、その一部が筐体３（ケーシング３２）から露出した状態において、筐体３に対してＤ１，Ｄ２方向に往復移動可能とされている。この操作レバー５０は、雌ネジ部５０Ａにおいて、ネジ５４を用いて連結プレート５１に固定されている。【００３８】
連結プレート５１は、操作レバー５０とスライドブロック５２とを連結するためのものである。この連結プレート５１は、クランク部５１Ａおよび貫通孔５１Ｂ，５１Ｃを有している。クランク部５１Ａは、スライドブロック５２を固定するための部分である。貫通孔５１Ｂは、操作レバー５０を固定するためのネジ５４が挿通される部分である。貫通孔５１Ｃは、コイルバネ５３の一端が係止される部分である。【００３９】
スライドブロック５２は、操作レバー５０の運動に連動してＤ１，Ｄ２方向に移動させられるものであり、Ｄ１方向に移動することによってコネクタ部４に装着されたバイオセンサ２を移動させるものである。このスライドブロック５２は、複数の作用部５２Ａを有している。【００４０】
複数の作用部５２Ａは、コネクタ部４からバイオセンサ２を廃棄するときに、バイオセンサ２の接触させる部分である。図７に示したように、複数の作用部５２Ａは、バイオセンサ２の短手方向に並んで設けられており、バイオセンサ２の短手方向の中心線Ｌ２に対して対称な位置関係に配置されている。【００４１】
図３に示したように、コイルバネ５３は、連結プレート５１ひいては操作レバー５０およびスライドブロック５２を、待機位置に復帰させるためのものである。このコイルバネ５３は、上述のように一端が連結プレート５１に係止されている一方で、他端が筐体３における固定部３５に係止されている。そのため、コイルバネ５３は、操作レバー５０にＤ１方向に向けた負荷を作用させて操作レバー５０をＤ１方向に移動させた場合に伸長させられる一方で、操作レバー５０に作用するＤ１方向の負荷を解除した場合に収縮させられる。そのため、操作レバー５０およびスライドブロック５２は、バイオセンサ２の廃棄後において、操作レバー５０に作用するＤ１方向の負荷を解除した場合にＤ２方向に移動させられて、待機位置に復帰させられる。【００４２】
次に、血糖値測定装置１を用いた血糖値測定動作およびバイオセンサ２の廃棄動作について説明する。【００４３】
図１ないし図３に示したように、血糖値測定装置１を用いて血糖値測定を行う場合には、まず血糖値測定装置１にバイオセンサ２を装着する。血糖値測定装置１に対するバイオセンサ２の装着は、センサ挿入口３０を介して、バイオセンサ２をコネクタ部４に差し込むことにより行なわれる。このとき、バイオセンサ２における複数の電極２５〜２８の端子部２５Ａ〜２８Ａは、コネクタ部４の複数の端子４２，４３における接点４６，４７と接触し、端子４２，４３の先端部４４，４５のバネ性によってバイオセンサ２に対して下方に向けた押圧力が作用させられる。これにより、バイオセンサ２は、コネクタ部４において適切に保持された状態とされる。また、複数の電極２５〜２８は、作用極および対極を含んでおり、これらの電極に端子４２，４３の接点４６，４７が接触することにより、作用極と対極との間に電圧が印加される。【００４４】
その一方、バイオセンサ２に対して血液を供給することにより、血糖値測定装置１において血糖値の測定が行なわれる。より具体的には、バイオセンサ２に対する血液の供給により、キャピラリ２３が血液によって満たされ、試薬層２６が溶解して液相反応系が構築される。このとき、複数の電極２５〜２８の作用極と対極との間に電圧が印加されているために液相反応系に対しても電圧が印加される。これにより、酸化還元酵素によって血液中のグルコースが還元され（電子が取り出され）、その電子が電子伝達物質を介して作用極に供給される。作用極に供給された電子の量は、コネクタ部４の端子４２（４３）を介して応答電流として測定される。血糖値測定装置１においては、先の応答電流に基づいて、グルコース濃度（血糖値）を演算される。【００４５】
血糖値の測定が終了した場合には、バイオセンサ２を廃棄する必要があるが、血糖値測定装置１においては、待機状態にある操作レバー５０に対して、Ｄ１方向に向けた負荷を作用させることによりバイオセンサ２が廃棄される。【００４６】
操作レバー５０にＤ１方向に向けた負荷を作用させた場合には、操作レバー５０とともに、連結プレート５１ひいてはスライドブロック５２がＤ１方向に移動させられる。スライドブロック５２がＤ１方向に移動することにより、スライドブロック５２の複数の作用部５２Ａがバイオセンサ２に干渉する。その結果、バイオセンサ２は、操作レバー５０のＤ１方向への移動により複数の作用部５２Ａに押されてＤ１方向に移動させられ、センサ挿入口３０を介して廃棄される。【００４７】
その一方で、図２から分かるように、操作レバー５０に作用しているＤ１方向への負荷を解除すれば、コイルバネ５３の弾発力によって連結プレート５１、ひいては操作レバー５０およびスライダノブ５２がＤ２方向に移動し、操作レバー５０およびスライドブロック５２がもとの位置に復帰する。【００４８】
血糖値測定装置１では、バイオセンサ２がＤ１方向に移動させられる過程において、図８Ａおよび図８Ｂに示したように、まず端子４３の接点４７がバイオセンンサ２から離れ、次いで、図９Ａおよび図９Ｂに示したように端子４２の接点４６がバイオセンンサ２から離れる。すなわち、複数の接点４６，４７は、バイオセンサ２の中心線Ｌ１に直交する方向に対して非平行に配置され、バイオセンサ２の中心線Ｌ１に対して対称に配置されている。そのため、一度にバイオセンサ２から離れるのではなく、２個ずつバイオセンサ２から離れることとなる。そのため、バイオセンサ２を廃棄するときには、複数の端子４２，４３の先端部４４，４５の弾性復元力が、同時的にバイオセンサ２に作用することはなく、２個ずつ分散して作用する。その結果、バイオセンサ２に対しては、一度に大きな負荷が作用することもないため、バイオセンサ２がセンサ挿入口３０から勢い良く飛び出してしまうことない。また、複数の接点４６，４７が２個ずつバイオセンサ２から離れるために、バイオセンサ２を廃棄させるときに、操作レバー５０に入力させるべきＤ１方向への負荷、すなわちスライドノブ５２からバイオセンサ２に作用するＤ１方向の負荷は小さくなる。この点からも、血糖値測定装置１では、バイオセンサ２の廃棄時にバイオセンサ２に作用するＤ１方向への負荷が小さくなる。したがって、血糖値測定装置１では、目的通りにバイオセンサ２を廃棄することが容易となるため、不必要に使用済みのバイオセンサ２に触れる必要もなくなり、使用済みバイオセンサ２からの感染を抑制することが可能となる。【００４９】
また、廃棄機構５におけるスライドブロック５２の複数の作用部５２Ａは、バイオセンサ２の中心線Ｌ２に対して対称となるように短手方向に並んで設けられている。そのため、バイオセンサ２に対しては、中心線Ｌ２を基準として対称に負荷が作用させられるため、バイオセンサ２を廃棄方向Ｄ１に沿って真っ直ぐに移動させることができる。すなわち、血糖値測定装置１では、廃棄時にバイオセンサ２がＤ１方向からずれて斜め飛び出してしまうことが抑制されており、この点からも目的通りにバイオセンサ２を廃棄することができるといえる。【００５０】
本発明は、先に説明した血糖値測定装置には限定されず、種々に設計変更可能である。たとえば複数の端子における先端部（接点）の配置、スライドブロックにおける接触部の構成は、図１０ないし図１２に示したような構成であってもよく、その他の構成であってもよい。【００５１】
図１０Ａに示した例は、コネクタ部における複数の端子６０，６１，６２，６３の接点６４，６５，６５，６７が、廃棄方向Ｄ１に直交する直交方向（バイオセンサ２の短手方向）Ｄ３，Ｄ４に対して傾斜した直線状に配置されたものである。【００５２】
このような複数の端子６０〜６３においては、図１０Ｂ〜図１０Ｅに示したように、バイオセンサ２を廃棄させるためにバイオセンサ２をＤ１方向に移動させたときに、接点６４〜６７は、接点６４、接点６５、接点６６および接点６７の順に１つずつバイオセンサ２から離れていく。そのため、バイオセンサ２を廃棄するときには、複数の端子６０〜６３の先端部の弾性復元力が、同時的に作用することはなく、１個ずつ分散して作用する。また、スライドノブ５２（図３および図７など参照)からバイオセンサ２に作用するＤ１方向の負荷も小さくすることができる。その結果、バオオセンサ２に対しては、一度に大きな負荷が作用することもないため、バイオセンサ２がセンサ挿入口３０（図１参照）から勢い良く飛び出してしまうことない。【００５３】
図１１Ａおよび図１１Ｂに示した例は、コネクタ部の複数の端子７０，７１，７２，７３，７４が奇数個の場合において、中央位置の端子７２がバイオセンサ２の中心線Ｌ１に沿って配置されているとともに、複数の端子７０〜７４の接点７５，７６，７７，７８，７９が中心線Ｌ１に対して対称な位置関係に配置されたものである。図１１Ａおよび図１１Ｂに示した例においても、複数の端子７０〜７４の接点７５〜７９が中心線Ｌ１に対して対称な位置関係に配置されているため、バイオセンサ２の廃棄時にバイオセンサ２に対して複数の端子７０〜７４によって大きな負荷が作用するのを抑制することができる。【００５４】
図１２Ａ、図１２Ｂおよび図１２Ｃは、スライドブロックにおける作用部の他の例を示している。【００５５】
図１２Ａに示したスライドブロック８０は、１つの作用部８１を有するものである。作用部８１は、バイオセンサ２における短手方向Ｄ３,Ｄ４の中央部に接触するように設けられている。【００５６】
図１２Ｂは、スライドブロック８２は、２つの作用部８３を有するものである。作用部８３は、バイオセンサ２における短手方向Ｄ３,Ｄ４の中心線Ｌ２を避けつつ、中心線Ｌ２に関して対称な位置関係に設けられている。【００５７】
図１２Ｃは、スライドブロック８４は、１つの作用部８５を有するものである。作用部８５は、ピン状ではなく平板状とされており、Ｄ３，Ｄ４方向の中心線がバイオセンサ２における短手方向Ｄ３,Ｄ４の中心線Ｌ２に一致または略一致させられている。【００５８】
図１２Ａ〜図１２Ｃに示した例では、スライドブロック８０，８２，８４の作用部８１，８３，８５は、バイオセンサ２における短手方向Ｄ３,Ｄ４の中心線Ｌ２に関して、バイオセンサ２に対して対称に負荷を作用させるようになされており、バイオセンサ２の廃棄時において、バイオセンサ２を廃棄方向Ｄ１に沿って真っ直ぐに移動させることができる。【００５９】
本発明はまた、血糖値を測定するための血糖値測定装置に限らず、コレステロールや乳酸などの他の成分を電気化学的手法により測定するための分析装置に対して適用することができる。
【図１】
2008126682.tif 000003
【図２】
2008126682.tif 000004
【図３】
2008126682.tif 000005
【図４】
2008126682.tif 000006
【図５】
2008126682.tif 000007
【図６】
2008126682.tif 000008
【図７】
2008126682.tif 000009
【図８】
2008126682.tif 000010
【図９】
2008126682.tif 000011
【図１０】
2008126682.tif 000012
【図１１】
2008126682.tif 000013
【図１２】
2008126682.tif 000014
【図１３】
2008126682.tif 000015
【図１４】
2008126682.tif 000016
【図１５】
2008126682.tif 000017
【国際調査報告】
2008126682.tif 000018
2008126682.tif 000019